(57)【要約】【解決課題】  ガスメータを支持する支持ポールの位置と、支持ポールを固定するコンクリートの枠体との位置を相対的に調整可能としたガスメータの支持構造に関する。【解決手段】  コンクリート打設用の枠体内に挿入する支持ポールに貫通孔を設け、該貫通孔に杆状部材を通してその両端を枠体と衝合させることで支持ポールの回転を規制し、上記杆状部材に沿って支持ポールを摺動して相対的に枠体と支持ポールの位置を調整し、該調整位置で拘束手段によって支持ポールを挟圧してコンクリートを打設して固定するので、枠体をずらすことで支持ポールを最適位置に配置することができる。【選択図】  図１
2008209165.tif 000002
【特許請求の範囲】
【請求項１】
枠体内に下部を挿入した支持ポールを前記枠体内にコンクリートなどの固化材を打設して固定部材として地中に埋設してガスメータを自立させるガスメータの支持構造において、
横断面を円形以外の形状に設定された枠体と、
前記枠体内に挿入される支持ポールの下部で横方向に貫通形成された貫通孔と、
該貫通孔に挿入されて両端が枠内の対向する内壁面に略隙間無く接する長さに設定されて前記支持ポールの回転を防止する杆状部材と、
前記支持ポールを杆状部材の長さ方向の所望の位置に調整可能に摺動し、支持ポールを所望位置にて杆状部材の両側から挟圧して拘束する拘束部材とからなって、
支持ポールの位置と枠体との位置を相対的に調整可能としており、
上記枠体内に固化材を打設して支持ポールを枠体に固定してなることを特徴とするガスメータの支持構造。
【請求項２】
杆状部材にネジが刻設されており、拘束部材が前記ネジに螺合して杆状部材の長さ方向に沿って螺進退する一対のナット状部材からなっていることを特徴とする請求項１に記載のガスメータの支持構造。
【発明の詳細な説明】
【技術分野】
【０００１】
この発明は、枠体内に下部を挿入した支持ポールを前記枠体内にコンクリートを打設して固定し地中内に埋設してガスメータを自立させるガスメータの支持構造に関する。
【背景技術】
【０００２】
従来、ガスメータは支持金具により家屋の壁面に固定しているが、壁に釘を打ちつけられない場合や、美観上、壁が傷つくのを嫌がるケースがある。
また、近年の治安の悪化による防犯システムの設置や敷地内への立ち入りが拒まれるケースもあり、検針効率の向上からも所望の個所にガスメータを支持部材を用いて自立させる需要が増えている。
そこで、ガスメータを支持する脚柱を固定する構造として、例えば特開平１１−３７８２１号では、スタンド部材をベースなどの固定部材と一体にして地面に固定しており、スタンド部材はベースと共に位置調整しなければならなかった。
また、特開平４−１９４２３０号の柱脚を地面に直立固定する施工方法では、地面に掘削した縦穴に筒状基礎杭を嵌合埋設し、その内に柱脚を一定間隔を存して挿入し、直立状態に保持して筒状基礎杭と柱脚との環状間隙部にコンクリート又はモルタルを打ち込んで柱脚を地面に直立固定する構造が知られている。
この場合、柱脚の埋設部上方周面に間隔を隔ててナットを柱脚の軸心を中心にして９０度間隔に４つ固定し、各ナットに外方よりボルトを螺合し先端を柱脚内に挿入しておき、ボルトを進退して柱脚が直立となるように保持してからコンクリートやモルタルを打ち込んでいる。
そのため各ボルトは進退させることで直立姿勢を調整することはできるが、基礎杭中の相対的な位置を調整することはできず、また基礎杭が円筒状であるためボルトにより柱脚の回転規制も十分には行えない。
また、基礎杭を設置する個所に障碍物があった場合に、基礎杭を移動すると柱脚の位置も変更しなければならない。
【特許文献１】特開平４−１９４２３０号  第４図、第５図参照
【発明の開示】
【発明が解決しようとする課題】
【０００３】
この発明は上記実情に鑑みてなされたもので、その主たる課題は、ガスメータを支持する支持ポールの位置と、支持ポールを固定する固定部材との位置を相対的に調整可能として、障害物があっても固定部材の位置を調整することで支持ポールを最適位置に調整することができるガスメータの支持構造を提供することにある。
【課題を解決するための手段】
【０００４】
上記課題を解決するために、請求項１の発明では、
枠体内に下部を挿入した支持ポールを前記枠体内にコンクリートなどの固化材を打設して固定部材として地中に埋設してガスメータを自立させるガスメータの支持構造において、
横断面を円形以外の形状に設定された枠体と、
前記枠体内に挿入される支持ポールの下部で横方向に貫通形成された貫通孔と、
該貫通孔に挿入されて両端が枠内の内壁面に略隙間無く接する長さに設定されて前記支持ポールの回転を防止する杆状部材と、
前記支持ポールを杆状部材の長さ方向の所望の位置に調整可能に摺動し、支持ポールを所望位置にて杆状部材の両側から挟圧して拘束する拘束部材とからなって、
支持ポールの位置と枠体との位置を相対的に調整可能としており、
上記枠体内に固化材を打設して支持ポールを枠体に固定してなることを特徴とする。
また、請求項２の発明では、
前記杆状部材にネジが刻設されており、拘束部材が前記ネジに螺合して杆状部材の長さ方向に沿って螺進退する一対のナット状部材からなっていることを特徴とする。
【発明の効果】
【０００５】
この発明は上記のように、ガスメータを支持する支持ポールの位置と、支持ポールを固定する固定部材の枠体との位置を相対的に調整可能とすることで、障害物があっても枠体の位置をずらすことで、支持ポールを最適位置に配置して固定することができる。
これにより、簡単な施工でガスメータを所望の位置に配置することができるので、美観の向上や検針効率の向上を図ることができる。
【発明を実施するための最良の形態】
【０００６】
枠体内に挿入した支持ポールに、両端が枠体の内壁面で拘束される支持ポール回転規制用の杆状部材を貫通挿入しておき、該杆状部材の長手方向に沿って支持ポールを摺動可能とし、所望位置で拘束部材により摺動を拘束することで、支持ポールと枠体との位置を相対的に調整しうることを実現した。
【実施例１】
【０００７】
以下に、この発明のガスメータの支持構造の好適実施例について図面を参照しながら説明する。
図１および図２に示すガスメータの支持構造は、ガスメータ１１と、該ガスメータ１１に接続されて埋設配管１２に接続される立管１３とを支持するもので、本実施例では前記立管１３を保持具１４を介して支持する支持ポール１と、該支持ポール１を固定する地中に埋設された固定部材２とからなっている。
【０００８】
［支持ポール］
支持ポール１は、本実施例の場合、１本のパイプからなっており、一対の立管１３の後方で略中央に配置されており、図示例では立管１３を上下で固定する一対のブラケットからなる保持具１４をその上方の部分で固定している。
【０００９】
［枠体］
枠体３は内部に固化材４を打設して地中に埋設されて支持ポール１を支持する固定部材２となるものであり、本実施例では平面から見て四角形（図示例では正方形）の角筒体からなっている。
図示例では上下の面が開放されているが、有底であってもよい。
この枠体３内には前記支持ポール１の下方の中途部分が挿通されるが、枠体３内にコンクリートやモルタルなどの固化材４を打設して支持ポール１と枠体３とを一体に固定するようになっている。
【００１０】
［貫通孔］
前記支持ポール１には、枠体３に挿入される下方の部分に、直径方向に貫通する貫通孔５が上下２段に設けられており、各貫通孔５の貫通方向は９０度で交叉する方向に配置されている。
【００１１】
［杆状部材］
上記貫通孔５には、ネジ棒からなる杆状部材６が挿通される。
この杆状部材６は、支持ポール１の回転規制に用いられると共に、後述の支持ポール１の位置調整に用いられる。
【００１２】
上記杆状部材６は、その長さが前記枠体３の対向する内壁面間の長さ（内径）と同じまたは僅かに短く設定されている。
本実施例では枠体３は正方形の角筒状であるので、杆状部材６の長さは共通であるが、枠体３が長方形の角筒状である場合には、内壁面の長さと幅に対応した２種類の杆状部材６を用いる。
【００１３】
［拘束部材］
上記杆状部材６は、支持ポール１の上下に配置された２つの貫通孔５にそれぞれ摺動可能に貫挿される。
この杆状部材６には、それぞれその両側に本実施例ではナットからなる一対の拘束部材７が杆状部材６のネジに沿って螺進退自在に螺合される。
従って、拘束部材７は、支持ポール１に貫挿した杆状部材６の外側から支持ポール１の外周壁に接する部分まで両側から螺進させることで支持ポール１の摺動を規制することができる。
【００１４】
［施工手順］
次ぎに、ガスメータの支持構造の施工手順の一例について、図３を参照しながら説明する。
まず、図３（ａ）に示すように、地面を掘って、上部が拡開する２段の凹部２０を掘削する。
【００１５】
次いで、図３（ｂ）に示すように、支持ポール１を凹部２０の底面に打ち込み、基礎となる枠体３設置位置まで土２１で埋め戻す（図３（ｃ）参照）。
そして、次ぎに、支持ポール１の貫通孔５に前記杆状部材６を挿通し、両側から拘束部材７を螺合して仮止めする（図３（ｄ）参照）。
【００１６】
次いで、図３（ｅ）に示すように、枠体３を支持ポール１の上から被せるように外嵌し、杆状部材６が枠体３のそれぞれの対向する内壁面と接するようにして嵌め込む。
これにより、支持ポール１は、杆状部材６によって枠体３内で回転が規制されるが、杆状部材６は枠体３の内壁面に沿って摺動可能となっている。
【００１７】
また、後述のように支持ポール１を微調整して支持ポール１の位置決めを正確に行い、拘束部材７を緊締して本締めする。
枠体３は水平となるように調整し、凹部周壁と枠体３周壁との隙間を土２２で埋め戻す。
【００１８】
この状態で、枠体３内にコンクリートやモルタルなどの固化材４を打設して固定部材２とする（図３（ｆ）参照）。
上記固化材４が固化してから、その上部の凹部２０でガスの配管工事を行い、土２３で埋め戻して完成する（図３（ｇ）参照）。
【００１９】
［位置調整］
次ぎに、図４を参照しながら枠体３に対して支持ポール１の位置を相対的に調整する作用について説明する。
前述のように、杆状部材６は、図４（ａ）に示すように支持ポール１を中心に十字状に取り付けられており、支持ポール１はいずれか一方の杆状部材６に沿って一方（Ｘ方向）に摺動させることができ、他方の杆状部材（説明の便宜上６’とする）は支持ポール１と共に連動して枠体３の内壁面に沿って摺動し所定位置で拘束部材７によりＸ方向の動きを拘束する（図４（ｂ）参照）。
【００２０】
他方の杆状部材６’に沿って他方（Ｙ方向）に摺動させるときは、一方の杆状部材６が支持ポール１と連動、Ｙ方向の所定位置で拘束部材７’によりＹ方向の動きを拘束する（図４（ｃ）参照）。
これにより、支持ポール１は、杆状部材６とこれと直交する杆状部材６’のそれぞれの延出方向（Ｘ、Ｙ方向）に沿って摺動することができるので、枠体３内の任意の位置に変位させることができる。
【００２１】
図５は、ガスメータの支持構造の異なる実施例を示すものであって、ガスメータ１１’に接続される管が一対のフレキシブル管１３’からなっており、支持ポール１は図示省略の支持台座や支持金具（例えば特開平１１−３７８２１号）などの取付具１５’を介して、あるいは直接にガスメータ１１’を支持している。
１４’は連結バンドであって、一対のフレキシブル管１３’を支持ポール１に連結している。
この支持ポール１を固定する固定部材２の構造は、前記実施例と同様であるため、同一構造には同一符号を付してその説明を省略する。
【００２２】
上記実施例では、枠体は平面から見て矩形の枠体の場合を例示したが、楕円形やその他の多角形であってもよい。
また、支持ポールは杆状部材に沿って摺動しうるので、杆状部材はＸＹ方向に２本用いるのが好ましいが、この発明では１本以上用いるものであればよい。
また枠体が多角形である場合に、その対向する面の数に対応した数の杆状部材を用いても、あるいは用いなくてもよい。
その他、要するにこの発明の要旨を変更しない範囲で種々設計変更しうること勿論である。
【図面の簡単な説明】
【００２３】
【図１】実施例１のガスメータの支持構造の正面図である。
【図２】同側面図である。
【図３（ａ）】凹部を掘削する工程を示す断面図である。
【図３（ｂ）】支持ポールを打ち込む工程を示す断面図である。
【図３（ｃ）】基礎の位置まで埋め戻す工程を示す断面図である。
【図３（ｄ）】支持ポールに杆状部材を通し拘束部材で仮止めする工程を示す断面図である。
【図３（ｅ）】枠体を支持ポールの上から被らせて回転を規制する工程を示す断面図である。
【図３（ｆ）】枠体にコンクリートを打設する工程を示す断面図である。
【図３（ｇ）】ガスの配管を行い埋め戻す工程を示す断面図である。
【図４】支持ポールの位置調整を説明する平面図であって（ａ）は基準位置、（ｂ）は一方の杆状部材部材に沿ってＸ方向に摺動したもの、（ｃ）は更に他方の杆状部材部材に沿ってＹ方向に摺動したものである。
【図５】ガスメータの支持構造の異なる実施例を示す正面図である。
【符号の説明】
【００２４】
１  支持ポール
２  固定部材
３  枠体
４  固化材
５  貫通孔
６  杆状部材
７  拘束部材
１１  ガスメータ
１２  埋設配管
１３  立管
１４  保持具
【図１】
2008209165.tif 000003
【図２】
2008209165.tif 000004
【図３（ａ）】
2008209165.tif 000005
【図３（ｂ）】
2008209165.tif 000006
【図３（ｃ）】
2008209165.tif 000007
【図３（ｄ）】
2008209165.tif 000008
【図３（ｅ）】
2008209165.tif 000009
【図３（ｆ）】
2008209165.tif 000010
【図３（ｇ）】
2008209165.tif 000011
【図４】
2008209165.tif 000012
【図５】
2008209165.tif 000013